【手続補正書】
【提出日】平成27年8月24日(2015.8.24)
【手続補正１】
【補正対象書類名】特許請求の範囲
【補正対象項目名】全文
【補正方法】変更
【補正の内容】
【特許請求の範囲】
【請求項１】
容器開口部のための破断可能な王冠であって、前記王冠が、
中心を外した取付部を有する頂部部分であって、前記中心を外した取付部が、前記頂部部分を波形化する頂部部分と、
前記頂部部分から降下し、底部環状縁部で終端する環状スカートと、
前記頂部部分に対して前記取付部で取り付けられるオープナアセンブリと、
破断可能な罫書き構成であって、
前記取付部から前記スカートの底部縁部まで連続的に半径方向へ延在する第１の罫書き線と、
曲線をなす第２の罫書き線であって、
前記頂部部分の取付部から前記スカートの環状側壁まで連続的に半径方向へ延在する上側半径方向セグメントと、
前記上側半径方向セグメントから、前記スカートの底部環状縁部から実質的に離間した終点まで前記スカートの環状側壁に沿って周囲に延在する下側環状セグメントと、
を備える、曲線をなす第２の罫書き線と、
を備える、破断可能な罫書き構成と、
を備える、容器開口部のための破断可能な王冠。
【請求項２】
前記オープナアセンブリが、
プルタブリングと、
前記プルタブリングに取り付けられるプルタブと、
前記プルタブおよび前記頂部部分の取付部に取り付けられる鋲とをさらに備える、請求項１に記載の王冠。
【請求項３】
前記オープナアセンブリが、前記プルタブの下にレバーをさらに備える、請求項２に記載の王冠。
【請求項４】
前記頂部部分が、陥凹した座部をさらに備え、前記陥凹した座部が、その中に前記オープナアセンブリの少なくとも一部分を受けるような寸法にされる、請求項１に記載の王冠。
【請求項５】
前記罫書き線のうちの少なくとも１本が先細にされて、前記スカートの底部環状縁部付近で、前記取付部付近よりも深くなる、請求項１に記載の王冠。
【請求項６】
手で王冠を外すのを容易にするために、前記頂部部分上に窪みを備える、請求項１に記載の王冠。
【請求項７】
前記頂部部分および前記スカートの反対側かつこれらに画定される内側下部と、前記内側下部に留められたライナとをさらに備える、請求項１に記載の王冠。
【請求項８】
前記プルタブリングの上にクッションをさらに備える、請求項２に記載の王冠。
【請求項９】
前記頂部部分が波形にされる、請求項１に記載の王冠。
【請求項１０】
０．１２ｍｍから０．１８ｍｍの範囲の王冠厚さゲージをさらに備える、請求項１に記載の王冠。
【請求項１１】
前記破断可能な罫書き構成が、前記破断可能な王冠の破断可能部分を画定し、前記破断可能部分が、前記取付部から前記スカートの底部縁部まで外向きに延在し、前記破断可能部分が、断面において湾曲したプロファイル、正方形のプロファイル、またはＶ字形のプロファイルから選択されるプロファイル形状を有する、請求項１に記載の王冠。
【請求項１２】
前記破断可能な罫書き構成の罫書き線のうちの少なくとも１本が、断面で見た場合に対向する湾曲した縁部を有する部分と接触することによって形成されて、前記少なくとも１本の罫書き線が、壊す際に鋭利でない縁部をもたらすようにする、請求項１に記載の王冠。
【請求項１３】
前記破断可能な罫書き構成の罫書き線のうちの少なくとも１本が、鋭利でない縁部をもたらす、請求項１に記載の王冠。
【請求項１４】
前記スカートが、複数のヒダを備える、請求項１に記載の王冠。
【請求項１５】
前記第１の罫書き線が曲線をなして、
前記頂部部分の取付部から前記スカートの環状側壁まで連続的に半径方向へ延在する上側半径方向セグメントと、
前記上側半径方向セグメントから、前記スカートの底部環状縁部にある終点まで前記スカートの環状側壁に沿って曲線をなして延在する下側環状セグメントと、
を備える、請求項１に記載の王冠。
【請求項１６】
容器開口部のための破断可能な王冠であって、前記王冠が、
取付部を有する頂部部分と、
前記頂部部分から降下し、底部環状縁部で終端する環状スカートと、
前記頂部部分に対して前記取付部で取り付けられるオープナアセンブリと、
破断可能な罫書き構成であって、
第１の曲線をなす罫書き線であって、
前記頂部部分の取付部から前記スカートの環状側壁まで連続的に半径方向へ延在する上側半径方向セグメントと、
前記上側半径方向セグメントから、前記スカートの底部環状縁部にある終点まで前記スカートの環状側壁に沿って曲線をなして延在する下側環状セグメントと、
を備える第１の曲線をなす罫書き線と、
第２の曲線をなす罫書き線であって、
前記頂部部分の取付部から前記スカートの環状側壁まで連続的に半径方向へ延在する上側半径方向セグメントと、
前記上側半径方向セグメントから、前記スカートの底部環状縁部から実質的に離間した終点まで前記スカートの環状側壁に沿って周囲に延在する下側環状セグメントと、
を備える、第２の曲線をなす罫書き線と、
を備える、破断可能な罫書き構成と、
を備える、容器開口部のための破断可能な王冠。
【請求項１７】
前記オープナアセンブリが、
プルタブリングと、
前記プルタブリングに取り付けられるプルタブと、
前記プルタブおよび前記頂部部分の取付部に取り付けられる鋲と、
をさらに備える、請求項１６に記載の王冠。
【請求項１８】
前記オープナアセンブリが、前記プルタブの下にレバーをさらに備える、請求項１７に記載の王冠。
【請求項１９】
前記頂部部分が、中心部分をさらに備え、前記取付部が、前記頂部部分の中心部分にある、請求項１６に記載の王冠。
【請求項２０】
前記頂部部分が、中心部分をさらに備え、前記取付部が、前記頂部部分の中心部分を外してある、請求項１６に記載の王冠。
【請求項２１】
前記頂部部分が、陥凹した座部をさらに備え、前記陥凹した座部が、その中に前記オープナアセンブリの少なくとも一部分を受けるような寸法にされる、請求項１６に記載の王冠。
【請求項２２】
前記罫書き線のうちの少なくとも１本が先細にされて、前記スカートの底部環状縁部付近で、前記取付部付近よりも深くなる、請求項１６に記載の王冠。
【請求項２３】
手で王冠を外すのを容易にするために、前記頂部部分上に窪みを備える、請求項１６に記載の王冠。
【請求項２４】
前記頂部部分および前記スカートの反対側かつこれらに画定される内側下部と、前記内側下部に留められたライナとをさらに備える、請求項１６に記載の王冠。
【請求項２５】
前記プルタブリングの上にクッションをさらに備える、請求項１７に記載の王冠。
【請求項２６】
前記頂部部分が波形にされる、請求項１６に記載の王冠。
【請求項２７】
０．１２ｍｍから０．１８ｍｍの範囲の王冠厚さゲージをさらに備える、請求項１６に記載の王冠。
【請求項２８】
前記破断可能な罫書き構成が、前記破断可能な王冠の破断可能部分を画定し、前記破断可能部分が、前記取付部から前記スカートの底部縁部まで外向きに延在し、前記破断可能部分が、断面において湾曲したプロファイル、正方形のプロファイル、またはＶ字形のプロファイルから選択されるプロファイル形状を有する、請求項１６に記載の王冠。
【請求項２９】
前記破断可能な罫書き構成の罫書き線のうちの少なくとも１本が、壊す際に鋭利でない縁部をもたらす、請求項１６に記載の王冠。
【請求項３０】
前記スカートが、複数のヒダを備える、請求項１６に記載の王冠。
【請求項３１】
前記破断可能な罫書き構成の罫書き線のうちの少なくとも１本が、断面で見た場合に対向する湾曲した縁部を有する部分と接触することによって形成されて、前記少なくとも１本の罫書き線が、壊す際に鋭利でない縁部をもたらすようにする、請求項１６に記載の王冠。